(57)【要約】【課題】  手に荷物を持ったままでも開けられる、開けやすい扉の提供。【解決手段】  扉体１ａ，１ｂと、扉体に取付けたハンドル２ａ，２ｂ，２ｃ，２ｄとを備え、ハンドルは、上下に間隔を空けて平行に配置したアーム３ａ，３ｂと、アームの先端部に架設した握り部４とを有し、アーム３ａ，３ｂは、根元部から先端部にかけて扉体１ａ，１ｂから次第に離れるように平面視略Ｓ字状となっており、握り部４は、アーム３ａ，３ｂから少なくとも上方に突出している。【選択図】      図１
2010222783.tif 000002
【特許請求の範囲】
【請求項１】
扉体と、扉体に取付けたハンドルとを備え、ハンドルは、上下に間隔を空けて平行に配置したアームと、アームの先端部に架設した握り部とを有し、アームは、根元部から先端部にかけて扉体から次第に離れるように平面視略Ｓ字状となっており、握り部は、アームから少なくとも上方に突出していることを特徴とする扉。
【請求項２】
握り部の断面形状が、正面側より扉体側の幅が狭い略勾玉状であることを特徴とする請求項１記載の扉。
【請求項３】
アームは、指の掛かり部を有することを特徴とする請求項１又は２記載の扉。
【請求項４】
握り部は、正面側の見付面に平坦部を有することを特徴とする請求項１，２又は３記載の扉。
【発明の詳細な説明】
【技術分野】
【０００１】
本発明は、ハンドルの操作性を向上させた門扉等の扉に関する。
【背景技術】
【０００２】
特許文献１には玄関ドアのハンドルとして、上下２本のアームと、アームの先端部に上下に架設したバーハンドルとを有するものが記載されている。買い物の帰りなど、両手に荷物を持った状態で扉を出入りしたいときがあるが、上記のようなハンドルでは、手に荷物を持ったままではバーハンドルを掴んで引く操作ができず、荷物を一旦下ろさなければならなかった。また、両手に荷物を持ったまま、肘等でバーハンドルを押して扉を開けようとすると、肘等が滑ってうまく開けられないことがあった。さらに、握る力の弱い子供やお年寄りにあっては、バーハンドルを握っても手が滑って開けられないことがあった。
従来、門扉のハンドルは、デザイン性を重視する観点から地面から８５０ｍｍ前後の高さに設けてあって、両手で荷物を抱えているとき、あるいは赤ちゃんを抱いて手がふさがっているときに門扉を開ける場合、腰を屈めてなんとかハンドルを操作し、体で門扉を押しながら開けることはできても、引いて開けることは困難だった。
【先行技術文献】
【特許文献】
【０００３】
【特許文献１】特開平１０−２２００８３号公報
【発明の概要】
【発明が解決しようとする課題】
【０００４】
本発明は以上に述べた実情に鑑み、手に荷物を持ったままでも開けられる、開けやすい扉の提供を目的とする。
【課題を解決するための手段】
【０００５】
上記の課題を達成するために請求項１記載の発明による扉は、扉体と、扉体に取付けたハンドルとを備え、ハンドルは、上下に間隔を空けて平行に配置したアームと、アームの先端部に架設した握り部とを有し、アームは、根元部から先端部にかけて扉体から次第に離れるように平面視略Ｓ字状となっており、握り部は、アームから少なくとも上方に突出していることを特徴とする。
【０００６】
請求項２記載の発明による扉は、請求項１記載の発明の構成に加え、握り部の断面形状が、正面側より扉体側の幅が狭い略勾玉状であることを特徴とする。
【０００７】
請求項３記載の発明による扉は、請求項１又は２記載の発明の構成に加え、アームは、指の掛かり部を有することを特徴とする。
【０００８】
請求項４記載の発明による扉は、請求項１，２又は３記載の発明の構成に加え、握り部は、正面側の見付面に平坦部を有することを特徴とする。
【発明の効果】
【０００９】
請求項１記載の発明による扉は、ハンドルのアームが根元部から先端部にかけて扉体から次第に離れるように平面視略Ｓ字状となっており、握り部はアームから少なくとも上方に突出しているため、荷物で両手がふさがっているときでも、握り部の後方に手首や前腕、肘等を差し入れて引くことで扉を容易に開けることができる。
【００１０】
請求項２記載の発明による扉は、握り部の断面形状が、正面側より扉体側の幅が狭い略勾玉状であるため、握り部に指が掛かりやすいと共に握り部を握りやすく、ハンドルの操作性が向上する。
【００１１】
請求項３記載の発明による扉は、ハンドルのアームに指の掛かり部を有しているので、アームに指を掛けて引くことで扉を開けることもでき、使い勝手が向上する。
【００１２】
請求項４記載の発明による扉は、握り部の正面側の見付面に平坦部を有しているので、平坦部を手首や前腕、肘等で押して扉を開けることが容易である。
【図面の簡単な説明】
【００１３】
【図１】門扉のハンドル部を拡大して示す平面図である。
【図２】（ａ）は門扉のハンドル部を拡大して示す正面図であり、（ｂ）は右側の扉体のハンドル部を戸先側から見た側面図である。
【図３】（ａ）は門扉の平面図、（ｂ）は門扉の正面図である。
【図４】ハンドルの操作方法の例を示す斜視図である。
【図５】ハンドルの操作方法の例を示す横断面図である。
【図６】図１のＡ−Ａ断面図である。
【発明を実施するための形態】
【００１４】
以下、本発明の実施の形態を図面に基づいて説明する。図３は本発明の一実施形態に係る門扉を示している。この門扉は、左右の支柱７ａ，７ｂに扉体１ａ，１ｂが蝶番８で取付けてあり、各扉体１ａ，１ｂが敷地側に回動して開くようになっている。各扉体１ａ，１ｂは、戸先側の両面にハンドル２ａ，２ｂ，２ｃ，２ｄがそれぞれ取付けてある。ハンドル２ａ，２ｂ，２ｃ，２ｄは、腰を屈めなくても操作できるように従来よりも高い位置に設けてあり、ハンドルの地面からの高さＨは、大人が腕を下に垂らして肘を直角に曲げたときの手の高さと略同じ高さ、具体的には約１０００ｍｍとしてある。
【００１５】
図１，２に示すように、各ハンドル２ａ，２ｂ，２ｃ，２ｄはそれぞれ台座９ａ，９ｂ，９ｃ，９ｄに取付けてあり、右側の扉体１ａの敷地側の台座９ａにはラッチボルト１０が内蔵してあり、右側の扉体１ａのハンドル２ａ，２ｂはバネで付勢して前後方向に揺動可能に設けてあり、敷地側のハンドル２ａを引くか道路側のハンドル２ｂを押すとラッチボルト１０が引っ込むようになっている。また右側の扉体１ａの敷地側のハンドル２ａにはサムターン１１が、道路側のハンドル２ｂには鍵穴１２が設けてあり、これらを操作することでラッチボルト１０のロック及び解除が行える。左側の扉体１ｂの敷地側の台座９ｃにはラッチボルト１０の受け穴１３が設けてある。左側の扉体１ｂのハンドル２ｃ，２ｄは、台座９ｃ，９ｄに固定してある。
【００１６】
ハンドル２ａ，２ｂ，２ｃ，２ｄは４つとも同じ形態となっており、台座９ａ，９ｂ，９ｃ，９ｄに取付けるための板状の取付け部１４と、取付け部１４より前方に湾曲しながら吊元側にのびる上下２本のアーム３ａ，３ｂと、アーム３ａ，３ｂの先端部に上下に架設した棒状の握り部４とを一体に有している。アーム３ａ，３ｂは、図１に示すように、根元部から先端部にかけて扉体１ａ，１ｂから次第に離れるように平面視略Ｓ字状に湾曲した形状となっており、先端側に扉体１ａ，１ｂに面した円弧状の凹部２０を有している。図６に示すように、上側のアーム３ａは扉体１ａ，１ｂ側の下側のコーナー部を円弧状にえぐり取って指の掛かり部５を形成してあり、下側のアーム３ｂは扉体１ａ，１ｂ側の上側のコーナー部を円弧状にえぐり取って指の掛かり部５を形成してある。
握り部４は、図１に示すように、アーム３ａ，３ｂ側の側面に窪み１５を設けて扉体１ａ，１ｂ側の幅を正面側よりも狭くしてあり、断面形状としてはアーム３ａ，３ｂの延長線上から扉体１ａ，１ｂ側に向けて曲がって突出した略勾玉状断面となっている。握り部４の正面側の見付面には平坦部６を有しており、アーム３ａ，３ｂは先端部の正面側の見付面が握り部４と同面となるように握り部４の側面に連結されている。扉体１ａ，１ｂと握り部４との間には空間Ｓが形成されている。空間Ｓの広さＷは、肘が入れられる広さ、具体的には６７ｍｍとしてある。また握り部４は、図２に示すように、上下のアーム３ａ，３ｂから上方と下方にそれぞれ突出している。握り部４の突出長さＬは、３０ｍｍとなっている。
さらに本ハンドル２ａ，２ｂ，２ｃ，２ｄは、図２（ａ）に示すように、上下のアーム３ａ，３ｂと握り部４と取付け部１４との間に四角い穴１６が形成されている。穴１６の大きさは、正面視で横寸法ｘが４６ｍｍ、縦寸法ｙが５５ｍｍとなっている。
【００１７】
以上のように構成されたハンドル２ａ，２ｂ，２ｃ，２ｄによれば、手に荷物を持ったままでも、図４（ａ）に示すように、握り部４のアーム３ａ，３ｂから突き出た部分に手首や肘、前腕１７等を掛けて引くことで、容易に扉体１ａ，１ｂを開けることができる。また、図４（ｂ）に示すように、アーム３ａ，３ｂの後側の凹部２０に前腕１７等を縦に差し入れて引くようにして開けることもでき、このとき握り部４がアーム３ａ，３ｂ先端部よりも扉体１ａ，１ｂ側に突出しているため、前腕１７等が外れるのを防いで確実に引くことができる。さらには、図４（ｃ）に示すように、握り部４を正面から肘２１等で押して開けることも可能で、握り部４の正面側の見付面に平坦部６を有していることで、肘２１等が滑るのを防いで確実に押すことができる。
もちろん握り部４に手を掛けて押し引きしてもよく、その場合には握り部４が略勾玉状断面となっていることで、図５（ａ）に示すように、握り部４に指１８を掛けたときに指１８が掛かりやすく、さらに上下のアーム３ａ，３ｂと握り部４と取付け部１４との間に四角い穴１６が形成されていることで、図５（ｂ）（ｃ）に示すように、左右のどちらの手１９ａ，１９ｂでも握ることができ、しかも手に握り部４がフィットして握りやすい。よって、握力の弱い人でも扉体１ａ，１ｂを容易に開けることができる。
さらに本ハンドル２ａ，２ｂ，２ｃ，２ｄは、図４（ｄ）と図６に示すように、アーム３ａ又は３ｂに手１９ａを掛けて引くこともでき、アーム３ａ，３ｂがＳ字状に湾曲していることでアーム３ａ，３ｂを持ちやすい上、アーム３ａ，３ｂに指の掛かり部５を設けてあるため指１８が掛かりやすく、アーム３ａ，３ｂから指１８が外れにくい。
以上に述べたように本ハンドル２ａ，２ｂ，２ｃ，２ｄは、コンパクトでありながら多様な使い方に対応した使い勝手の非常に優れたものとなっており、本ハンドルの採用により門扉の開けやすさを大きく向上できる。ハンドル２ａ，２ｂ，２ｃ，２ｄを地面から約１０００ｍｍの高さ位置に設けたことで、両手がふさがっているときでも腰を屈めずに前腕等でハンドル２ａ，２ｂ，２ｃ，２ｄを容易に操作できる。
【００１８】
本発明は以上に述べた実施形態に限定されない。握り部は、円形や楕円形断面であってもよく、またアームから握り部が上方にのみ突出するものでもよい。本発明の扉は、左右両開きのものに限らず片開きのものでもよく、また門扉に限らず家や店舗等の出入口に用いることもできる。扉体の構成は任意であり、板状のものに限らず格子状のものであってもよい。
【符号の説明】
【００１９】
１ａ，１ｂ  扉体
２ａ，２ｂ，２ｃ，２ｄ  ハンドル
３ａ，３ｂ  アーム
４  握り部
５  指の掛かり部
６  平坦部
【図１】
2010222783.tif 000003
【図２】
2010222783.tif 000004
【図３】
2010222783.tif 000005
【図４】
2010222783.tif 000006
【図５】
2010222783.tif 000007
【図６】
2010222783.tif 000008